(57)【要約】【課題】本発明は、保温性と保冷性、特に優れた保冷性を有する上に、軽く、かつ結露吸収性に優れた携帯ボックスおよび携帯ペットボトル入れを提供せんとするものである。【解決手段】本発明の携帯ボックスは、１．１デシテックス以下の微細合成繊維成分を含む繊維で構成されたパンチングフエルトを用いて形成されてなる容器収納用筒状物を、通気性布帛で被覆したことをことを特徴とするものである。また、本発明の携帯ペットボトル入れは、かかる携帯ボックスが、ペットボトル用であることを特徴とするものである。【選択図】なし【特許請求の範囲】
【請求項１】
１．１デシテックス以下の微細合成繊維成分を含む繊維で構成されたパンチングフエルトを用いて形成されてなる容器収納用筒状物を、通気性布帛で被覆したことを特徴とする携帯ボックス。
【請求項２】
該繊維が、多芯型の海島型複合繊維および分割型複合繊維（割繊型複合繊維）から選ばれた少なくとも１種の複合繊維である請求項１に記載の携帯ボックス。
【請求項３】
該複合繊維の島成分（割繊繊維成分）が、１．１デシテックス以下の微細繊維成分である請求項２に記載の携帯ボックス。
【請求項４】
該パンチングフエルトが、ニードルパンチングおよびウォタージェットパンチングから選ばれた少なくとも１種の機械的絡合処理を施されてなる繊維絡合シートである請求項１〜３のいずれかに記載の携帯ボックス。
【請求項５】
該繊維絡合シートが、該複合繊維の少なくとも１部が、島成分（割繊繊維成分）と海成分または境界成分とが分離・剥離されて、空隙を形成している領域を有するものである請求項４に記載の携帯ボックス。
【請求項６】
該筒状物が、該筒状物の壁面を構成するフエルトと同様のフエルトからなる底部を有するものである請求項１〜５のいずれかに記載の携帯ボックス。
【請求項７】
該フエルトが、０．１５〜０．５ｇ／ｃｍ３  の繊維密度を有するものである請求項１〜６のいずれかに記載の携帯ボックス。
【請求項８】
該フエルトが、０．５〜１０ｍｍの厚さを有するものである請求項１〜７のいずれかに記載の携帯ボックス。
【請求項９】
該筒状物が、該パンチングフェルトを糸条、紐状またはテープ状にスリットしてなる線状物からなる編織物で構成されているものである請求項１〜８のいずれかに記載の携帯ボックス。
【請求項１０】
該筒状物の少なくとも壁面が、少なくとも１層の熱反射機能素材からなる通気性膜を少なくとも片面に有するフエルトで構成されている請求項１〜９のいずれかに記載の携帯ボックス。
【請求項１１】
該熱反射機能素材からなる通気性膜が、金属箔、金属メッキ膜、金属蒸着膜および金属のスパッタリング膜から選ばれた少なくとも１種の金属薄膜で構成されているか、または、これらからなる複合材料で構成されているものである請求項１０に記載の携帯ボックス。
【請求項１２】
該通気性膜が、貫通孔を有するものである請求項１１に記載の携帯ボックス。
【請求項１３】
該複合材料が、発泡体シート、不織布およびフィルムから選ばれた少なくとも１種と、前記金属薄膜とで構成されているものである請求項１１に記載の携帯ボックス。
【請求項１４】
該通気性布帛が、ＪＩＳ  Ｌ１０９６に基づいて測定した通気度が１．０［ｃｃ／ｃｍ２／ｓｅｃ］以上で、かつ、該パンチングフェルトの通気度より大きい通気度を有する布帛である請求項１〜１３のいずれかに記載の携帯ボックス。
【請求項１５】
該通気性布帛が、ＪＩＳ  Ｌ１０９６に基づいて測定した通気度が１．５〜１００［ｃｃ／ｃｍ２／ｓｅｃ］である布帛である請求項１〜１３のいずれかに記載の携帯ボックス。
【請求項１６】
該通気性布帛が、撥水加工されている布帛である請求項１〜１５のいずれかに記載の携帯ボックス。
【請求項１７】
該携帯ボックスの通気性布帛の上端部が、吊り下げ用紐からなる容器固定用機構を構成している請求項１〜１６のいずれかに記載の携帯ボックス。
【請求項１８】
該容器固定用機構が、該通気性布帛の上縁部で折り返して紐通し構造が形成されているものである請求項１７に記載の携帯ボックス。
【請求項１９】
請求項１〜１８のいずれかに記載の携帯ボックスが、ペットボトル用であることを特徴とする携帯ペットボトル入れ。
【発明の詳細な説明】
【０００１】
【発明の属する技術分野】
本発明は、優れた保温性ならびに保冷性を兼ね備えた携帯ボックスおよび携帯ペットボトル入れに関するものである。
【０００２】
【従来の技術】
従来、飲料容器の断熱用筒体として、ゴムスポンジ、ポリスチレンおよびポリウレタンなどの発泡体シートに布帛を積層してなる断熱材を、飲料容器の外側に装着してなるものが知られている（特許文献１参照）。
【０００３】
また、フェルト状不織布の表面にアルミフィルム層を積層した保冷材で筒体を構成したものも知られている（特許文献２参照）。
【０００４】
しかし、かかる断熱用筒体は、冷たいビールやジュースなどの場合には、結露現象を起こして、該筒体の底部を濡らしてしまう欠点があったものである。
【０００５】
【特許文献１】実用新案登録第３００６５８５号公報
【０００６】
【特許文献２】実開平０５−８６８３０号公報
【０００７】
【発明が解決しようとする課題】
本発明は、かかる従来技術の背景に鑑み、保温性と保冷性、特に優れた保冷性を有する上に、軽く、かつ結露吸収性に優れた携帯ボックスおよび携帯ペットボトル入れを提供せんとするものである。
【０００８】
【課題を解決するための手段】
本発明は、かかる課題を解決するために、次のような手段を採用するものである。すなわち、本発明の携帯ボックスは、１．１デシテックス以下の微細合成繊維成分を含む繊維で構成されたパンチングフエルトを用いて形成されてなる容器収納用筒状物を、通気性布帛で被覆したことをことを特徴とするものである。また、本発明の携帯ペットボトル入れは、かかる携帯ボックスが、ペットボトル用であることを特徴とするものである。
【０００９】
【発明の実施の形態】
本発明は、前記課題、つまり保温性と保冷性、特に優れた保冷性を有する上に、軽く、かつ結露吸収性に優れた携帯ボックスについて、鋭意検討し、特定な微細合成繊維成分を含む繊維、好ましくは複合繊維からなるパンチングフエルトを用いて容器収納用筒状物を形成し、これを通気性布帛で被覆してみたところ、かかる課題を一挙に解決することを究明したものである。
【００１０】
本発明の携帯ボックスは、１．１デシテックス以下の微細合成繊維成分を含む繊維で構成されたパンチングフエルトを用いて形成されてなる容器収納用筒状物で構成されているものである。
【００１１】
かかる微細合成繊維成分としては、単繊維繊度が、１．１デシテックス以下、好ましくは０．００１〜１．１デシテックス、より好ましくは０．００１〜０．５デシテックス、特に好ましくは０．００１〜０．３デシテックスの範囲内の合成繊維成分を意味するものである。かかる微細合成繊維は、後述する多芯型の海島型複合繊維や分割型複合繊維（割繊型複合繊維）を脱海処理や割繊処理することにより製造されるものであり、その島繊維成分または割繊繊維成分の単繊維繊度が、上述のような微細（極細）であるものを意味するものである。
【００１２】
本発明のパンチングフエルトは、かかる微細合成繊維成分を含む繊維で構成されいるものであるが、かかる微細合成繊維成分を、該フエルトの構成繊維の好ましくは５０ｗｔ％以上、より好ましくは７０ｗｔ％以上、特に好ましくは９０ｗｔ％以上占めているのが、結露吸収性の上から好ましい。すなわち、結露吸収性を阻害しない範囲内で適度に他の繊維、例えば太い合成繊維や、綿あるいは絹などの天然繊維、化学繊維などが混用されていてもよい。
【００１３】
かかる微細合成繊維成分を含む繊維は、フィラメントあるいは短繊維のいずれを用いてもフエルトを構成することができる。例えば、複数の成分から構成される複合繊維、中でも該複合成分のうちの一成分を溶出除去するかあるいは各成分ごとに分割する等の、後の極細化加工により極細化が可能な複合繊維を原料繊維に用いたフィラメントあるいは短繊維を用いて、ウェブを形成し、ニードルパンチまたは水流や空気流による流体流パンチング処理に供して、フエルトを形成する。かかるフェルトは、次いで脱海処理または割繊処理されて極細化される。かかる微細合成繊維成分を含む繊維からなるフェルトは、必要により、さらに該パンチング処理を施して、その繊維密度を高くして、結露吸収性を改善することができる。なお、かかる微細合成繊維成分を含む繊維からなるパンチングフェルトにおいて、必要により、さらに親水性高分子弾性体、好ましくはポリウレタンを含浸させることができる。かかる親水性高分子弾性体により、結露吸収性を大幅に改善することができる。
【００１４】
また、本発明のパンチングフェルトとしては、該微細合成繊維成分を含む繊維として、多芯型の海島型複合繊維および分割型複合繊維（割繊型複合繊維）から選ばれた少なくとも１種の複合繊維で構成されたものを好ましく使用することができる。
【００１５】
かかる多芯型の海島型複合繊維や分割型複合繊維（割繊型複合繊維）は、前記のフェルトのように、脱海処理や割繊処理する前段階の原料繊維である。すなわち、この場合には、かかる複合繊維の海成分および境界成分をそのまま利用して、これらで結露吸収性の空隙を形成するものである。
【００１６】
本発明の複合繊維について、以下説明する。
【００１７】
すなわち、該複合繊維を構成する島成分としては、ポリエステルやポリアミドを使用することができ、海成分としては、ポリオレフィンやポリスチレンなどが使用される。また、割繊繊維成分としては、ポリエステルやポリアミドを使用することができ、境界成分としては、かかる割繊繊維成分と混和しない、たとえば熱収縮性や溶剤膨潤性の異なるものや、親和性のないポリマを選択して使用することができ、たとえばポリエステルに対してはポリアミドを好ましく使用することができる。
【００１８】
すなわち、かかる海成分および境界成分は、前記ニードルパンチングおよびウォタージェットパンチングなどの絡合処理を施すと、島成分（割繊繊維成分）と、海成分または境界成分とが分離・剥離されて、空隙を形成するものである。かかる空隙領域を有するパンチングフエルト（繊維絡合シート）が、前記課題である高度な保温性ならびに保冷性を兼ね備えるという効果を奏する上に、特に結露吸収性に優れた効果を達成し得るものである。もちろんかかる空隙は、該絡合処理によって発生する島成分（割繊繊維成分）からなる１．１デシテックス以下という微細繊維と、海成分または境界成分との組み合わせによって、初めて惹起するものであり、特に結露吸収性に優れた空隙を構成するものである。
【００１９】
かかる空隙を形成している領域は、該パンチングフエルトを構成する該複合繊維の少なくとも一部によって形成されていればよいが、具体的には、該複合繊維の中の好ましくは３０％以上、より好ましくは５０％以上、特に好ましくは７０〜１００％の領域（面積）で空隙が存在しているのが、効果の上からよい。
【００２０】
また、該複合繊維を構成する海成分または境界成分は、海島型複合繊維の場合における海成分は、好ましくは２０〜５０ｗｔ％、より好ましくは３０〜４５ｗｔ％であるのがよい。また、分割型複合繊維（割繊型複合繊維）の場合における境界成分は、単繊維断面積の、好ましくは３０〜７０％、より好ましくは４０〜６０％であるのがよい。かかる海成分または境界成分は、上述空隙を形成する上から重要な機能を惹起するものであるから、このパンチングフエルトにおいては、かかる海成分または境界成分が存在することが必須要件である。
【００２１】
かかるパンチングフエルトとしては、０．１５〜０．５ｇ／ｃｍ３  の繊維密度を有するものが好ましく、さらに、好ましくは０．５〜１０ｍｍ、より好ましくは１〜５ｍｍの厚さを有するものを使用するのが、効果の上からよい。
【００２２】
本発明の携帯ボックスは、該容器収納用筒状物の壁面を構成するパンチングフエルトと同様のフエルトで、その底部を構成するのが、効果の上からよい。
【００２３】
本発明において、該パンチングフエルト中に、該絡合処理によって発生する島成分（割繊繊維成分）からなる１．１デシテックス以下という微細繊維が存在することは、該空隙を構成する上から、好ましいことであり、かかるパンチングフエルト中に好ましくは５０ｗｔ％以上、より好ましくは７０ｗｔ％以上が該微細合成繊維成分で占められているのがよい。
【００２４】
本発明の携帯ボックスは、かかるパンチングフエルトで全体を構成した場合には、結露吸収性に優れている上に、この結露水分を該容器収納用筒状物の壁面から蒸発させる機能を有しており、その場合、該壁面全体から２５Ｊ／ｋｇの蒸発潜熱が奪われる。つまりかかる冷却機能により、該壁面の温度を低下させることができる。気候条件にもよるが、該壁面の温度を雰囲気温度より約３〜１０℃低くくするので、優れた保冷補助効果を奏するものである。かかる効果は、かかるパンチングフエルトの通気度が、ＪＩＳ  Ｌ１０９６に基づいて測定した値で、好ましくは１５〜２５［ｃｃ／ｃｍ２／ｓｅｃ］の範囲にあるときに好都合に達成される。
【００２５】
なお、本発明でいうパンチングフェルトは、一枚のシート状物からなるもののみならず、該フェルトを糸条、紐状またはテープ状にスリットした線状物で構成された編織物を含むものとする。かかる編織物で構成された携帯ボックスも、上述の結露（拡散）吸収性に優れているので、抜群の保冷効果を奏する。
【００２６】
また、かかるフエルトの表面に、少なくとも１層の熱反射機能素材からなる通気性膜を少なくとも片面に有するフエルトで該筒状物の少なくとも壁面を構成すると、保温・保冷性を著しく向上するので好ましい。かかる熱反射機能素材からなる膜が、金属およびセラミックスから選ばれた少なくとも１種で構成されているものである。すなわち、かかる金属としては、金、銀、クロム、ニッケル、アルミニウムなどを使用することができ、かかる金属を、メッキ法、蒸着法、スパッタリング法、イオンプレーティング法などの手段によって製膜したもの、さらには、圧延法によって製箔したものなどを使用することができる。
【００２７】
また、該複合材料としては、発泡体シート、不織布およびフィルムから選ばれた少なくとも１種と、前記通気性金属薄膜とを、直接または接着剤を介して固着させて構成されているものを使用することができる。かかる通気性金属薄膜層は、１層に限らず、何層も使用することができる。
【００２８】
また、セラミックスは、熱可塑性樹脂中に混合した混合物を該シート表面上に、直接または接着剤を介して塗布してなる複合材や、該混合物を含む繊維で該シートを構成したものを使用することができる。かかるセラミックス含有シートは、前記通気性金属膜をさらに結合して、複合材の形で使用することができる。
【００２９】
かかる熱反射機能素材からなる通気性膜ならびに複合材料は、前記結露吸収性および保冷補助効果を阻害しないために、該パンチングフェルトと同等の通気性を維持・保持させるのが好ましく、連続膜で不通気性のものの場合は、貫通孔を設けて通気性を付与したものを使用する。
【００３０】
また、該容器収納用筒状物は、かかるフエルトの表面（最外側）が、カレンダーロールなどの押圧処理することによって、平滑化すると、前記空隙を積極的に制御することができ、その結露吸収性を制御することができる。
【００３１】
本発明のパンチングフエルトおよびその他のシート、フィルムは、それらの原料段階や製品段階などの適宜の時点において、防虫、防菌、抗菌、消臭、防臭、あるいは撥水加工、撥油加工、防汚加工などの各種の機能性の付与加工が施されていてもよい。特に、防汚・抗菌加工、撥水加工、撥油加工などを施したものを用いれば、汚れが付着するのを防止することができるので好ましい。
【００３２】
かかるパンチングフエルトおよびその他のシート、フィルム、つまり該容器収納用筒状物全体として、通気性を有していることが重要であり、後述の通気性布帛より小さいが、該結露を蒸散させることができる機能を原則として有しているものが使用される。すなわち、かかる通気度としては、ＪＩＳ  Ｌ１０９６に基づいて測定した値で、好ましくは１．０［ｃｃ／ｃｍ２／ｓｅｃ］以上、さらに好ましくは１．５〜５０［ｃｃ／ｃｍ２／ｓｅｃ］、特に好ましくは３〜３０［ｃｃ／ｃｍ２／ｓｅｃ］の通気性を有するものが、結露吸収性の上から使用される。
【００３３】
かかるパンチングフエルトは、ビールや飲料ペットボトル、缶ビール、缶ジュースの大きさに合わせて、少なくとも１層、好ましくは２層以上の多層に重合して筒状に接合して、さらに底部も同一フエルトで蓋をして容器収納用筒状物を形成し、これに通気性布帛を被覆させて本発明の携帯ボックスを形成する。このときに採用する接合手段は、接着剤や縫製、さらには熱融着など公知の方法を用いることができる。
【００３４】
かかる通気性布帛としては、ＪＩＳ  Ｌ１０９６に基づいて測定した通気度が、好ましくは１．０［ｃｃ／ｃｍ２／ｓｅｃ］以上、さらに好ましくは１．５〜１００［ｃｃ／ｃｍ２／ｓｅｃ］である布帛であって、かつ、該パンチングフェルトよりも大きな通気性を有するものが、結露吸収性の上から使用される。
【００３５】
また、かかる通気性布帛として、撥水加工されているものが、わずかの結露水分をも外部に漏洩させない機能を有しているので、好ましく使用される。
【００３６】
かかる撥水剤としては、フッ素系化合物やシリコン系化合物を使用することができるが、たとえば、ポリペンタデカフルオロオクチルアクリレート、ポリトリフルオロエチルアクリレート、テトラフルオロエチレン−ヘキサフルオロプロピレンなどのフッ素系化合物や、ジメチルポリシロキサン、およびその末端あるいは側鎖に水酸基、アミノ基、エポキシ基、ポリエーテル基などを導入した変性ジメチルポリシロキサンなどのシリコン系化合物を使用することができる。
【００３７】
本発明の携帯ボックスは、かかる通気性布帛の上端部を、吊り下げ用紐からなる容器固定用機構、たとえば、該通気性布帛の上縁部で折り返して紐通し構造が形成されているものが好ましく使用される。
【００３８】
本発明の携帯ボックスは、特にペットボトル用に使用して、携帯ペットボトル入れとして使用するのが好都合である。
【００３９】
次に本発明の携帯ボックスを図により説明する。まず図１は、本発明の携帯ボックスの一例を示す斜視図である。この携帯ボックス１は、通気性布帛２でフェルト（図示せず）が被覆されたものであり、ペットボトル３の首部で吊り紐４を引き締め、絞め具５で固定させたものである。
【００４０】
図２は、図１の携帯ボックス１の内部に装填されているパンチングフェルト６の一例を示すものである。
【００４１】
【実施例】
以下、本発明を実施例により、さらに詳細に説明する。
【００４２】
実施例１
島成分としてポリエチレンテレフタレート、海成分としてポリスチレンからなる、成分比６０／４０、島数１６、複合繊維繊度４．２デシテックス＜島成分の繊維繊度（単繊維繊度）０．１５デシテックス、繊維長５１ｍｍ＞の海島型複合繊維の原綿を用い、これを２５００本／ｃｍ２  のニードルパチング処理して、目付５２５ｇ／ｍ２  、厚み２．８４ｍｍ、密度０．１８５ｇ／ｃｍ３  のパンチングフェルトを作成した。このフェルトにポリビニルアルコールを用いて糊付けした後、脱海処理し、次いでポリウレタンの溶剤溶液を含浸して、目付５９０ｇ／ｍ２  、厚み２．００ｍｍ、密度０．３０ｇ／ｃｍ３のフェルトを作成した。このフェルトを、裁断して、観察したところ、ポリエチレンテレフタレートの微細繊維とポリウレタンとで、観察面積にして約９２％の領域において、微細な空隙を形成していることが確認された。このフェルトの通気度は、ＪＩＳ  Ｌ１０９６に基づいて測定したところ、３．０［ｃｃ／ｃｍ２／ｓｅｃ］であった。
【００４３】
このフェルトを用いて、お茶入りペットボトルの直径５５ｍｍにフィットさせて二重に巻き付け、最高高さ２１０ｍｍで、図２の形に裁断し、その端部を縫製して接合して筒状物を形成した。この筒状物の底部に、同一フェルトを嵌合させて縫製し、さらに接着剤で接合して、容器収納用筒状物を形成した。この容器収納用筒状物は、該ペットボトルの首部以外は、スッポリ包み込まれるものであった。
【００４４】
一方、通気性布帛として、経糸及び緯糸に４７０デシテックス７２フィラメントのナイロン６６繊維（強度１０．５ｇ／ｄｔｅｘ、伸度２４％  東レ株式会社製）を使用して平織物を製織し、８０℃で精錬し、１８０℃でピンテターを用いてヒートセットし、経糸密度３５本／インチ、緯糸密度３２本／インチの織物を得た。次いで、酸性染料スミノール・ミリング・サイアニン５Ｒ（住友化学株式会社製）を用いて、液流染色機で常法により１２０℃×６０分染色し、次いで、常法により水洗、乾燥した。
【００４５】
この染色布帛を、アサヒガードＡＧ４０００（明成化学株式会社製フッ素系撥水撥油剤）の３重量％水分散液に浸積し、マングルで絞り、１３０℃で乾燥した後、１７０℃でヒートセットして撥水加工した。この布帛の撥水度を、ＪＩＳ  Ｌ  １０９２  ５．２スプレー法に基づいて測定したところ、９５点で、通気度は、ＪＩＳ  Ｌ  １０９６に基づいて測定したところ、２０［ｃｃ／ｃｍ２／ｓｅｃ］であった。
【００４６】
この撥水加工布帛を用いて、上記で作った容器収納用筒状物を被覆する袋体を縫製した。この袋体の首部分に紐通しを作って、これに吊り下げ用紐を通し、この紐に引き締め用固定用機構として止め具を取り付けた。この袋体に、前記容器収納用筒状物を装填して、図１の携帯ボックスを作成した。
【００４７】
この携帯ボックスを携帯ペットボトル入れとして使用し、冷蔵庫で冷やした中身の温度７℃の市販のお茶入りペットボトルを装填して、大気温度３２℃の屋内テーブル上に放置して１時間後、中身の温度を測定したところ、１３℃であった。この携帯ペットボトル入れは、軽くて、持ち運びし易い上に、結露した露は、該フェルトにしっかりと吸収されていて、フェルトそのものはシットリした感触を有していたが、袋体表面はサラッとした乾燥状態を保持していた。
【００４８】
実施例２〜３
島成分としてポリエチレンテレフタレート、海成分としてポリスチレンからなる、成分比６０／４０、島数１６、複合繊維繊度４．２デシテックス＜島成分の繊維繊度（単繊維繊度）０．１５デシテックス、繊維長５１ｍｍ＞の海島型複合繊維の原綿を用い、これを２５００本／ｃｍ２  のニードルパチング処理して、目付５５０ｇ／ｍ２  、厚み２．８５ｍｍ、密度０．１９ｇ／ｃｍ３  のパンチングフェルトを作成した。このパンチングフェルトの通気度は、ＪＩＳ  Ｌ  １０９６に基づいて測定したところ、１８［ｃｃ／ｃｍ２／ｓｅｃ］であった。
【００４９】
このフェルトを裁断して、観察したところ、該海島型複合繊維の島成分と海成分とが剥離して、観察面積にして約６５％の領域において、微細な空隙を形成していることが確認された。
【００５０】
このフェルトを用いて、缶ジュース（直径６．５ｍｍ、高さ１２０ｍｍ）用の携帯ボックスを作成した。まず、缶ジュースの直径６．５ｍｍにフィットさせて一重に巻き付け、高さ２５０ｍｍで裁断し、その巻き付け方向の端部を１０ｍｍ重ねて重合させ、その部分を樹脂接着剤で接合して、筒状物を形成した。
【００５１】
この筒状物の底部に、同一フェルトを該接着剤で接合して、容器収納用筒状物を形成した。この容器収納用筒状物は、缶ジュース２個が、スッポリ包み込まれるものであった。以後は、実施例１と同様にして袋体を作成し、この袋体に該容器収納用筒状物を装填して、缶ジュース用の携帯ボックスを作成した（実施例２）。
【００５２】
次に、実施例２のパンチングフェルトを二重に巻き付け、底部も二重に積層したパンチングフェルトを用い、さらに、該二重巻きのパンチングフェルトの内、一枚のパンチングフェルト表面に、５ｍｍピッチで直径１ｍｍの貫通孔を全面に設けた通気性の家庭用アルミ箔（２ｍｍφの貫通孔を３個／ｃｍ２  付与したもの）を接着剤で貼着し、このフェルトの該アルミ箔が、二重のフェルト層の真ん中に配置するようにする以外は、実施例２と同様にして、容器収納用筒状物を形成し、以後は、実施例２と同様にして、缶ジュース用の携帯ボックスを作成した。（実施例３）。この容器収納用筒状物の通気度は、８［ｃｃ／ｃｍ２／ｓｅｃ］であった。
【００５３】
これらの携帯ボックスの保冷効果を試験してみた。すなわち、大気温度３２屋内テーブル上に、冷蔵庫で冷やした中身の温度７℃の缶ジュース２個を、それぞれの携帯ボックス内に装填して、１時間後、中身の温度を測定したところ、実施例２：１２℃、実施例３：１０℃であった。いずれも優れた保冷効果を示した。また、この携帯ボックスは、軽くて、持ち運びし易い上に、結露した露は、フェルトにしっかりと吸収されていて、シットリした感触を有していたが、袋体表面はサラッとした乾燥状態を保持していた。
【００５４】
【発明の効果】
本発明によれば、長時間放置しても、優れた保温・保冷性を発揮するので、飲料水やジュースなどを、旅行や行楽に携帯して行くのに、軽くて便利に使用することができる上に、何時までも暖かい飲み物や冷たい飲み物を提供することができる。
【図面の簡単な説明】
【図１】この図は、本発明の携帯ボックスの一例を示す斜視図である。
【図２】この図は、本発明の携帯ボックスの内部に装填されているパンチングフェルトの形態の一例を示すものである。
【符号の説明】
１；携帯ボックス
２：通気性布帛
３：ペットボトルの首部
４：吊り紐
５：絞め具
６：パンチングフェルト
【図１】
2004224420.tif 000002
【図２】
2004224420.tif 000003